(57)【特許請求の範囲】
【請求項１】
合成樹脂で一体成形され、使用状態において上向きに配置され互いに平行に対向する第１、第２及び第３、第４の２対の対向側辺を有する概略方形で平滑な上面と、これと平行な反対側の下面と、上面と下面とを接続する周側面とを具備し、
前記上面は、第１側辺と第２側辺との間を直角に横断する茎受け溝と、この茎受け溝に対し接ぎ木用苗木の切断所要角度に対応する角度をもって交差する切断刃のガイド溝と、このガイド溝と前記茎受け溝との交差部から所定距離離れた位置において茎受け溝に直交する直線状に設けられる位置決め表示とを具備し、
前記第１側辺から前記交差部までの距離は、台木となる苗木の根を第１側辺の外側に配置して茎を前記茎受け溝内に配置したときに台木として必要最小限の茎丈となる距離に設定され、
前記交差部と前記位置決め表示との距離は、穂木となる苗木の本葉の分岐部を位置決め表示に合致させて茎を前記茎受け溝内に配置したとき、交差部が穂木の最適切断位置となる距離に設定されることを特徴とする接ぎ木用植物の切断作業用治具。
【発明の詳細な説明】
【技術分野】
【０００１】
本発明は、接ぎ木用植物をカッターによって斜めに切断する際に用いられる治具に関する。
【背景技術】
【０００２】
接木作業において、それまで一本一本の苗に対して人力で行われていた、台木、穂木の斜めの切断、固定用スリーブの装着を機械化した接木苗製造方法が特許文献１に記載されている。この方法においては、格子状に配列された複数の苗床を有するトレーを垂直にして上昇させ、最上列の苗床ピッチと同ピッチの案内溝を有する苗芯出し治具に最上列の苗をガイドさせて最上列の苗を芯出しし、鉛直方向から傾けられた回転刃を最上列の苗位置で水平方向に移動させて最上列の一列分の苗を苗軸芯に対して斜めに切断する。トレーの上昇、苗の芯出し、苗の斜め切断を上から２列目以後最下列までの各列に対して行う。台木の切断完了後、トレーを上昇させて最上列の台木を苗芯出し治具にガイドさせて芯出しする。スリーブを、苗芯出し治具の案内溝と同ピッチで、かつ切れ目を拡開した状態で保持スリーブ装着装置に保持し、これを最上列の台木に向って移動させ、各スリーブ内に各台木を挿入した後スリーブの切れ目拡開を解除して、スリーブを台木に装着する。スリーブの台木への装着を上から２列目以後最下列までの各列に対して行う。
【先行技術文献】
【特許文献】
【０００３】
【特許文献１】特開平５−２６８８３５号公報
【発明の概要】
【発明が解決しようとする課題】
【０００４】
上記従来の接木苗製造方法に用いられる苗木の切断装置は、比較的機構が複雑で、高価なものとならざるを得ない。
したがって、本発明は、一本一本の苗に対して人力で行うことを前提としつつ、その作業を効率的に行うことができる構造簡易で安価に得られる作業用の治具を提供することを目的としている。
【課題を解決するための手段】
【０００５】
以下、添付図面の符号を参照して説明するが、本発明はこれに限定されるものではない。
上記課題を解決するための、本発明の接ぎ木用植物の切断作業用治具１は、合成樹脂で一体成形され、使用状態において上向きに配置される概略方形で平滑な上面２と、これと平行な反対側の下面３と、上面２と下面３とを接続する周側面４とを具備する。上面２は、互いに平行に対向する第１・第２及び第３・第４の２対の対向側辺５・６、７・８を有し、第１側辺５と第２側辺６との間を直角に横断する茎受け溝９と、この茎受け溝９に対し所定の角度αをもって交差する切断刃Ｃのガイド溝１０と、当該の交差部１１から所定距離離れた位置において茎受け溝９に直交する直線状に設けられる位置決め表示１２とを具備する。茎受け溝９とガイド溝１０との交差角度αは、接ぎ木用苗木Ｐの切断所要角度に対応する。第１側辺５から交差部１１までの距離は、台木となる苗木Ｐの根塊Ｒを第１側辺５の外側に配置して茎Ｓを茎受け溝９内に配置したときに台木として必要最小限の茎丈となる距離に設定される。交差部１１と位置決め表示１２との距離は、穂木となる苗木Ｐの本葉の分岐部Ｓ１を位置決め表示１２に合致させて茎Ｓを茎受け溝内９に配置したとき、交差部１１が穂木の最適切断位置となる距離に設定される。
【発明の効果】
【０００６】
本発明の接ぎ木用植物の切断作業用治具によれば、苗を所定位置にあてがって、切断刃をガイド溝に沿って移動させるだけで、接ぎ木用植物の切断作業を正確に、かつ効率的に行うことができ、また構造簡易で安価に得られる。
【図面の簡単な説明】
【０００７】
【図１】本発明に係る接ぎ木用植物の切断作業用治具の斜視図である。
【図２】図１の接ぎ木用植物の切断作業用治具の使用状態の斜視図である。
【図３】図１の接ぎ木用植物の切断作業用治具の平面図である。
【図４】図１の接ぎ木用植物の切断作業用治具の各部の配置関係を示す説明図である。
【図５】図１の接ぎ木用植物の切断作業用治具の各部の配置関係を示す説明図である。
【発明を実施するための形態】
【０００８】
図面を参照して本発明の実施の形態を説明する。
図１ないし図３において、接ぎ木用植物の切断作業用治具１は、合成樹脂で、概略扁平直方体状に一体成形される。治具１は、使用状態において上向きに配置される概略方形で平滑な上面２と、これと平行な反対側の下面３と、上面２と下面３とを接続する周側面４とを具備する。
上面２は、互いに平行に対向する第１・第２及び第３・第４の２対の対向側辺５・６，７・８を有する。上面２には、茎受け溝９、ガイド溝１０、位置決め表示１２が形成される。
茎受け溝９は、第１側辺５と第２側辺６との間を直角に横断するように設けられ、苗木Ｐの茎を受け入れ可能である。
ガイド溝１０は、茎受け溝９に沿って配置された苗木Ｐの茎を切断するための刃を案内するもので、茎受け溝９に対し所定の角度αをもって交差部１１で交差する。茎受け溝９とガイド溝１０との交差角度αは、接ぎ木用苗木の切断所要角度（図において約３０°であるが、これに限定されない。）に対応する。
第１側辺５から交差部１１までの距離Ｄ１は、図４に示すように、台木となる苗木Ｐ１の根塊部Ｒを第１側辺５の外側に配置して茎Ｓを茎受け溝９内に配置したときに、台木として必要最小限の茎丈となる距離に設定される。根塊部Ｒを第１側辺５から離す距離を適宜目測で調整して台木の丈を決定することができる。距離Ｄ１は、図示の実施例において約２５mmであるが、これに限定されない。植物の種類により、適宜最適な距離に設定される。
位置決め表示１２は、交差部１１から所定距離Ｄ２（図５）離れた位置において茎受け溝９に直交する直線状に設けられる。
図５に示すように、交差部１１と位置決め表示１２との距離Ｄ２は、穂木となる苗木Ｐ２の本葉の分岐部Ｓ１を位置決め表示１２に合致させて茎Ｒを茎受け溝９内に配置したとき、交差部１１が穂木Ｐ２の最適切断位置となる距離に設定される。距離Ｄ２は、図示の実施例において約８mmであるが、これに限定されない。植物の種類により、適宜最適な距離に設定される。
台木の作製に際しては、台木となる苗Ｐ１を、図４に示すように、根塊部Ｒを側辺５に沿わせて茎Ｓを茎受け溝９内にはめ込むように配置する。この状態で、ガイド溝１０に切断刃Ｃの刃先を挿入し、これに沿って移動させると、最適な位置、角度で茎Ｓが切断され、台木が作製される。
穂木の作製に際しては、穂木となる苗Ｐ２を、図５に示すように、本葉の分岐部Ｓ１を位置決め表示１２に合致させて茎Ｒを茎受け溝９内に配置し、台木と同様に、ガイド溝１０に沿って切断刃Ｃを移動させると、最適な位置、角度で茎Ｓが切断され、穂木が作製される。
【符号の説明】
【０００９】
１    切断作業用治具
２    上面
３    下面
４    側周面
５    第１側辺
６    第２側辺
７    第３側辺
８    第４側辺
９    茎受け溝
１０  ガイド溝
１１  交差部
１２  位置決め表示
Ｃ    切断刃
Ｐ    苗木
Ｐ１  台木となる苗木
Ｐ２  穂木となる苗木
Ｓ    茎
Ｓ１  本葉の分岐部
Ｒ    根塊部
【図１】
0005508465.tif 000002
【図２】
0005508465.tif 000003
【図３】
0005508465.tif 000004
【図４】
0005508465.tif 000005
【図５】
0005508465.tif 000006